(57)【要約】【課題】  撮影状況に応じて光学ファインダと電子ビューファインダとを切り換えることができるデジタルカメラを提供する。【解決手段】  デジタルカメラ１０ａは、交換レンズ２によって結像された被写体像を撮像するＣＣＤ２６と、交換レンズ２を通過した被写体像を反射させ、焦点板２９上に結像させるハーフミラー２８と、焦点板２９上に結像された被写体像を接眼レンズ３１に導くファインダ部２７とを備え、ファインダ部２７は、ＣＣＤ２６によって撮像された画像を表示するＥＶＦ表示部３２と、焦点板２９上に結像された被写体像を接眼レンズ３１に導く第１の位置にＥＶＦ表示部３２を移動させるとともに、ＥＶＦ表示部３２によって表示された表示画像を接眼レンズ３１に導く第２の位置にＥＶＦ表示部３２を移動させる移動機構３５とを備える。【選択図】      図２
2005311764.tif 000002
【特許請求の範囲】
【請求項１】
撮像レンズによって結像された被写体像を撮像する撮像部と、前記撮像レンズを通過した被写体像を反射させ、焦点板上に結像させる反射板と、前記焦点板上に結像された被写体像を接眼部に導くファインダ部とを備えるデジタルカメラであって、
前記ファインダ部は、
前記撮像部によって撮像された画像を表示する表示部と、
前記焦点板上に結像された被写体像を前記焦点板から前記接眼部へ導く第１の位置に前記表示部を移動させるとともに、前記表示部によって表示された表示画像を接眼部へ導く第２の位置に前記表示部を移動させる移動機構とを備えることを特徴とするデジタルカメラ。
【請求項２】
前記ファインダ部は、前記焦点板上に結像された被写体像を接眼部に導くペンタミラーを備え、
前記表示部は、表示面の裏面に反射面を有し、
前記移動機構によって前記表示部が前記第１の位置に移動した場合、前記反射面が前記ペンタミラーの最終反射面となることを特徴とする請求項１記載のデジタルカメラ。
【請求項３】
前記ファインダ部は、前記焦点板上に結像された被写体像を接眼部に導くリレー光学系を備え、
前記表示部は、表示面の裏面に反射面を有し、
前記移動機構は、前記焦点板上に結像された被写体像を前記反射面によって反射させ、前記リレー光学系に導く第１の位置に前記表示部を移動させるとともに、前記焦点板近傍であり、前記表示部によって表示された表示画像を前記リレー光学系に導く第２の位置に前記表示部を移動させることを特徴とする請求項１記載のデジタルカメラ。
【請求項４】
デジタルカメラ本体の背面に配置され、前記撮像部によって撮像された画像を表示する外部表示部と、
前記画像を前記表示部によって表示する第１の表示モードと、前記外部表示部によって表示する第２の表示モードとに切り換える表示モード切換部とをさらに備えることを特徴とする請求項１〜３のいずれかに記載のデジタルカメラ。
【請求項５】
静止画像を撮影する静止画撮影モードと、動画像を撮影する動画撮影モードとを切り換える撮影モード切換部をさらに備え、
前記表示モード切換部は、前記撮影モード切換部によって動画撮影モードに切り換えられた場合、前記第１の表示モードに切り換えることを特徴とする請求項４記載のデジタルカメラ。
【請求項６】
静止画像を撮影する静止画撮影モードと、動画像を撮影する動画撮影モードとを切り換える撮影モード切換部と、
使用者のファインダ使用状態を検知するファインダ使用状態検知部とをさらに備え、
前記表示モード切換部は、前記撮影モード切換部によって動画撮影モードに切り換えられ、かつ前記ファインダ使用状態検知部によってファインダ使用状態が検知されている場合、前記第１の表示モードに切り換え、前記撮影モード切換部によって動画撮影モードに切り換えられ、かつ前記ファインダ使用状態検知部によってファインダ使用状態が検知されていない場合、前記第２の表示モードに切り換えることを特徴とする請求項４記載のデジタルカメラ。
【請求項７】
前記ファインダ使用状態検知部は、ファインダ窓近傍に設けられ、ファインダ窓への接眼状態を検知する接眼検知部と、カメラ本体のグリップ部分の保持状態を検知する保持状態検知部とのうちの少なくとも一方を含み、前記接眼検知部及び前記保持状態検知部の少なくとも一方の検知結果に基づいて、使用者のファインダ使用状態を検知することを特徴とする請求項６記載のデジタルカメラ。
【請求項８】
静止画像の撮影待機時において外部表示部を使用するライブビューモードと、静止画像の撮影待機時において光学ファインダを使用するファインダモードとを切り換える外部表示切換部と、
使用者のファインダ使用状態を検知するファインダ使用状態検知部とをさらに備え、
前記表示モード切換部は、前記外部表示切換部によってライブビューモードに切り換えられ、かつ前記ファインダ使用状態検知部によってファインダ使用状態が検知されている場合、前記第１の表示モードに切り換え、前記外部表示切換部によってライブビューモードに切り換えられ、かつ前記ファインダ使用状態検知部によってファインダ使用状態が検知されていない場合、前記第２の表示モードに切り換えることを特徴とする請求項４記載のデジタルカメラ。
【請求項９】
前記ファインダ使用状態検知部は、ファインダ窓近傍に設けられ、ファインダ窓への接眼状態を検知する接眼検知部と、カメラ本体のグリップ部分の保持状態を検知する保持状態検知部とのうちの少なくとも一方を含み、前記接眼検知部及び前記保持状態検知部の少なくとも一方の検知結果に基づいて、使用者のファインダ使用状態を検知することを特徴とする請求項８記載のデジタルカメラ。
【発明の詳細な説明】
【技術分野】
【０００１】
本発明は、一眼レフレックス型光学ファインダを有するデジタルカメラに関するものである。
【背景技術】
【０００２】
従来の一眼レフレックス型光学ファインダを有するデジタルカメラでは、被写体像を撮像素子に結像させる撮影光学系の途中に光路切り替えのための可動式の反射ミラーを備え、反射ミラーの反射光がファインダ光学系を通してファインダ窓に導かれる構成となっている。
【０００３】
図１４は、従来のデジタルカメラについて説明するための図であり、図１４（ａ）は、従来のデジタルカメラの正面透視図であり、図１４（ｂ）は、従来のデジタルカメラの側面断面図である。
【０００４】
図１４に示すように、従来のデジタルカメラ１００は、カメラ本体１０１とこのカメラ本体１０１の正面略中央に着脱可能に装着される交換レンズ１０２とを備えた一眼レフレックスカメラで構成されている。図１４（ｂ）に示すように、カメラ本体１０１に交換レンズ１０２が装着されたときの当該レンズ１０２の光軸Ｌ上であってカメラ本体１０１内の適所には、カラー撮像素子１０３が配設されている。カラー撮像素子１０３は、基板１０３ａ上に配置されている。
【０００５】
光軸Ｌ上において、被写体光をファインダ光学系１０５に向けて反射させる位置には、ハーフミラー１０４が配置されている。ハーフミラー１０４によって反射された被写体光は、焦点板１０６に結像される。ファインダ光学系１０５は、ペンタプリズム１０７、接眼レンズ１０８及びファインダ窓１０９を備えている。焦点板１０６によって結像された被写体像は、ペンタプリズム１０７によって反射され、接眼レンズ１０８に入射する。接眼レンズ１０８は、被写体像をファインダ窓１０９の外側に導く。このような構成により、撮影者はファインダ窓１０９を覗くことによって、被写体を視認することができる。
【０００６】
また、ハーフミラー１０４の後方には、サブミラー１１０が配置されており、ハーフミラー１０４を透過した被写体光がサブミラー１１０によって反射され、反射された被写体光が焦点検出部１１１に入射する。焦点検出部１１１は、被写体のピント情報を検出する。
【０００７】
ハーフミラー１０４及びサブミラー１１０は、いわゆるクイックリターンミラーであり、露光時に上方へ跳ね上がり、被写体像をカラー撮像素子１０３上に導き、露光が終了すると、元の位置に復帰する。
【０００８】
カラー撮像素子１０３の直前には、シャッタ１１２が配置されており、露光時に開閉するよう制御される。カメラ本体１０１の背面の略中央には、外部表示部１１３が設けられている。外部表示部１１３は、メモリカード等の記録媒体に記録された撮影画像を再生表示する。
【０００９】
従来のデジタルカメラ１００による撮影待機時には、フィルム式の一眼レフカメラと同様に、ハーフミラー１０４により焦点板１０６に結像した被写体像を、ファインダ光学系１０５を介して肉眼で観察することができる。
【００１０】
一方、従来のデジタルカメラ１００による撮影時には、ハーフミラー１０４を撮影光路から退避させてカラー撮像素子１０３によって撮像し、撮影画像を本体の背面に設けられた外部表示部１１３に表示している。この場合、ファインダ用に画像表示素子は不要であるが、露光中はハーフミラー１０４を撮影光路から退避させる必要がある。そのため、露光中は、ファインダがブラックアウトしてしまい、撮影範囲を確認することができない。
【００１１】
例えば、特許文献１には、光学ファインダではなく電子ビューファインダ（ＥＶＦ）と背面モニタとによって撮影範囲の確認を行う技術が開示されている。特許文献１におけるデジタルカメラでは、ＥＶＦを用いているのでファインダがブラックアウトすることはない。
【特許文献１】特開２００２−６２０８号公報
【発明の開示】
【発明が解決しようとする課題】
【００１２】
しかしながら、特許文献１のデジタルカメラにおけるファインダ像は、ＥＶＦを採用しているため、電気的処理や表示素子の性能に依存しており、鮮明でちらつきの無いファインダ像を得ることは困難である。
【００１３】
一方、図１４に示す従来のデジタルカメラ１００におけるファインダ像は、光学ファインダを採用しているため、鮮明でちらつきの無いファインダ像を得ることができる。しかしながら、露光中はハーフミラー１０４を撮影光路から退避させる必要があるため、ファインダがブラックアウトしてしまう。特に、静止画像と動画像の両方を記録することが可能なデジタルカメラにおいて、静止画像を記録する場合は、露光する一瞬だけブラックアウトするので、撮影にさほど支障は無いが、動画像を記録する場合は、露光する時間が長いため、ブラックアウトする時間が長くなり、ファインダにより撮影範囲を確認することができない。そのため、従来の一眼レフ型デジタルカメラでは、背面に設けられた外部表示部１１３に動画撮影時の動画像を表示するか、あるいは動画撮影機能を搭載しない仕様となっているのが現状である。この現状は、撮影前に光学ファインダではなく外部表示部により画角を確認する場合（ライブビュー機能）でも同様である。
【００１４】
撮影中のファインダのブラックアウトは、撮影光学系とは独立した光学ファインダを設けることによって回避することが可能である。撮影光学系が単焦点や低倍率ズームのデジタルカメラの場合、撮影光学系と独立して光学ファインダを構成することは容易であり、さほど大型化もしない。しかしながら、撮影光学系が高倍率ズームのデジタルカメラの場合、光学ファインダが大型化してしまう。また、レンズ交換式デジタルカメラを想定した場合、複数のシステムレンズに対して別設の光学ファインダで対応することはほぼ不可能である。
【００１５】
また、特許文献１のように、反射ミラー（図１４におけるハーフミラー１０４に相当）を廃止し、ＥＶＦ及び背面モニタ（図１４における外部表示部１１３に相当）で構成することも可能であるが、これは一眼レフ型カメラの利点である鮮明でちらつきの無い光学ファインダを廃止することを意味している。さらに、背面モニタは、屋外で直射日光が射している状況では画像確認が困難であるなどの欠点がある。さらにまた、構図を決めるために画像に集中する場合や、ズームの望遠端付近で手振れを起こさないようにしっかりと構えるためには、覗き込むタイプの専用ファインダが最適である。
【００１６】
本発明は、上記の問題を解決するためになされたもので、撮影状況に応じて光学ファインダと電子ビューファインダとを切り換えることができるデジタルカメラを提供することを目的とするものである。
【課題を解決するための手段】
【００１７】
本発明に係るデジタルカメラは、撮像レンズによって結像された被写体像を撮像する撮像部と、前記撮像レンズを通過した被写体像を反射させ、焦点板上に結像させる反射板と、前記焦点板上に結像された被写体像を接眼部に導くファインダ部とを備えるデジタルカメラであって、前記ファインダ部は、前記撮像部によって撮像された画像を表示する表示部と、前記焦点板上に結像された被写体像を前記焦点板から前記接眼部へ導く第１の位置に前記表示部を移動させるとともに、前記表示部によって表示された表示画像を接眼部へ導く第２の位置に前記表示部を移動させる移動機構とを備える。
【００１８】
この構成によれば、撮像部によって撮像された画像を表示する表示部が、焦点板上に結像された被写体像を焦点板から接眼部へ導く第１の位置に移動されることによって、光学ファインダとして機能させ、表示部によって表示された表示画像を接眼部に導く第２の位置に移動されることによって、電子ビューファインダとして機能させるので、撮影状況に応じて光学ファインダと電子ビューファインダとを切り換えることができる。
【００１９】
また、上記のデジタルカメラにおいて、前記ファインダ部は、前記焦点板上に結像された被写体像を接眼部に導くペンタミラーを備え、前記表示部は、表示面の裏面に反射面を有し、前記移動機構によって前記表示部が前記第１の位置に移動した場合、前記反射面が前記ペンタミラーの最終反射面となることが好ましい。
【００２０】
この構成によれば、表示部の表示面の裏面に反射面を有し、この反射面をペンタミラーの最終反射面として利用しているので、ファインダ部を小型化することができる。
【００２１】
また、上記のデジタルカメラにおいて、前記ファインダ部は、前記焦点板上に結像された被写体像を接眼部に導くリレー光学系を備え、前記表示部は、表示面の裏面に反射面を有し、前記移動機構は、前記焦点板上に結像された被写体像を前記反射面によって反射させ、前記リレー光学系に導く第１の位置に前記表示部を移動させるとともに、前記焦点板近傍であり、前記表示部によって表示された表示画像を前記リレー光学系に導く第２の位置に前記表示部を移動させることが好ましい。
【００２２】
この構成によれば、撮像部によって撮像された画像を表示する表示部は、表示面の裏面に反射面を有しており、表示部が、焦点板上に結像された被写体像を反射面によって反射させ、リレー光学系に導く第１の位置に移動されることによって、光学ファインダとして機能させ、焦点板近傍であり、表示部によって表示された表示画像をリレー光学系に導く第２の位置に移動されることによって、電子ビューファインダとして機能させるので、撮影状況に応じて光学ファインダと電子ビューファインダとを切り換えることができる。
【００２３】
また、上記のデジタルカメラにおいて、デジタルカメラ本体の背面に配置され、前記撮像部によって撮像された画像を表示する外部表示部と、前記画像を前記表示部によって表示する第１の表示モードと、前記外部表示部によって表示する第２の表示モードとに切り換える表示モード切換部とをさらに備えることが好ましい。
【００２４】
この構成によれば、撮像部によって撮像された画像を表示部によって表示する第１の表示モードと、前記画像を外部表示部によって表示する第２の表示モードとに切り換えられる。したがって、撮影者は、第１の表示モードに切り換えることによって、ファインダ部の表示部によって表示される表示画像を見ながら撮影することができ、第２の表示モードに切り換えることによって、デジタルカメラ本体の背面に配置された外部表示部を見ながら撮影することができ、ファインダを覗きながらの撮影と、外部表示部を見ながらの撮影とのいずれかを選択することができる。
【００２５】
また、上記のデジタルカメラにおいて、静止画像を撮影する静止画撮影モードと、動画像を撮影する動画撮影モードとを切り換える撮影モード切換部をさらに備え、前記表示モード切換部は、前記撮影モード切換部によって動画撮影モードに切り換えられた場合、前記第１の表示モードに切り換えることが好ましい。
【００２６】
この構成によれば、静止画像を撮影する静止画撮影モードと、動画像を撮影する動画撮影モードとが切り換えられ、動画撮影モードに切り換えられた場合、撮像部によって撮像された画像を表示部によって表示する第１の表示モードに切り換えられる。したがって、使用者がファインダを除いている場合に、長い露光期間中ずっと光学ファインダに何も表示されない（ブラックアウト）状態が継続する動画撮影時においても、電子ビューファインダとして機能させることができ、常に被写体を確認しながら撮影することができる。
【００２７】
また、上記のデジタルカメラにおいて、静止画像を撮影する静止画撮影モードと、動画像を撮影する動画撮影モードとを切り換える撮影モード切換部と、使用者のファインダ使用状態を検知するファインダ使用状態検知部とをさらに備え、前記表示モード切換部は、前記撮影モード切換部によって動画撮影モードに切り換えられ、かつ前記ファインダ使用状態検知部によってファインダ使用状態が検知されている場合、前記第１の表示モードに切り換え、前記撮影モード切換部によって動画撮影モードに切り換えられ、かつ前記ファインダ使用状態検知部によってファインダ使用状態が検知されていない場合、前記第２の表示モードに切り換えることが好ましい。
【００２８】
この構成によれば、静止画像を撮影する静止画撮影モードと、動画像を撮影する動画撮影モードとが切り換えられ、使用者のファインダ使用状態が検知される。そして、動画撮影モードに切り換えられ、かつファインダ使用状態が検知されている場合、第１の表示モードに切り換えられ、動画撮影モードに切り換えられ、かつファインダ使用状態が検知されていない場合、第２の表示モードに切り換えられる。
【００２９】
したがって、動画像を撮影する動画撮影モードにおいて、撮影者がファインダを使用している場合、電子ビューファインダを用いて表示し、撮影者がファインダを使用していない場合、外部表示部を用いて表示することによって、撮影者の撮影姿勢に応じて自動的に表示を切り換えることができる。
【００３０】
また、上記のデジタルカメラにおいて、前記ファインダ使用状態検知部は、ファインダ窓近傍に設けられ、ファインダ窓への接眼状態を検知する接眼検知部と、カメラ本体のグリップ部分の保持状態を検知する保持状態検知部とのうちの少なくとも一方を含み、前記接眼検知部及び前記保持状態検知部の少なくとも一方の検知結果に基づいて、使用者のファインダ使用状態を検知することが好ましい。
【００３１】
この構成によれば、使用者のファインダ窓への接眼状態と、カメラ本体のグリップ部分の保持状態とのうちの少なくとも一方が検知され、少なくとも一方の検知結果に基づいて、使用者のファインダ使用状態が検知される。したがって、使用者のファインダ窓への接眼状態と、カメラ本体のグリップ部分の保持状態とのうちの少なくとも一方を検知することによって、使用者のファインダ使用状態を検知することができ、使用者がファインダを覗いているのか、外部表示部を見ているのかを確実に検知することができる。
【００３２】
また、上記のデジタルカメラにおいて、静止画像の撮影待機時において外部表示部を使用するライブビューモードと、静止画像の撮影待機時において光学ファインダを使用するファインダモードとを切り換える外部表示切換部と、使用者のファインダ使用状態を検知するファインダ使用状態検知部とをさらに備え、前記表示モード切換部は、前記外部表示切換部によってライブビューモードに切り換えられ、かつ前記ファインダ使用状態検知部によってファインダ使用状態が検知されている場合、前記第１の表示モードに切り換え、前記外部表示切換部によってライブビューモードに切り換えられ、かつ前記ファインダ使用状態検知部によってファインダ使用状態が検知されていない場合、前記第２の表示モードに切り換えることが好ましい。
【００３３】
この構成によれば、静止画像の撮影待機時において外部表示部を使用するライブビューモードと、静止画像の撮影待機時において光学ファインダを使用するファインダモードとが切り換えられ、使用者のファインダ使用状態が検知される。そして、ライブビューモードに切り換えられ、かつファインダ使用状態が検知されている場合、第１の表示モードに切り換えられ、ライブビューモードに切り換えられ、かつファインダ使用状態が検知されていない場合、第２の表示モードに切り換えられる。
【００３４】
したがって、静止画像の撮影待機時に外部表示部を使用するライブビューモードにおいて、撮影者がファインダを使用している場合、電子ビューファインダを用いて表示し、撮影者がファインダを使用していない場合、外部表示部を用いて表示することによって、撮影者の撮影姿勢に応じて自動的に表示を切り換えることができる。
【００３５】
また、上記のデジタルカメラにおいて、前記ファインダ使用状態検知部は、ファインダ窓近傍に設けられ、ファインダ窓への接眼状態を検知する接眼検知部と、カメラ本体のグリップ部分の保持状態を検知する保持状態検知部とのうちの少なくとも一方を含み、前記接眼検知部及び前記保持状態検知部の少なくとも一方の検知結果に基づいて、使用者のファインダ使用状態を検知することが好ましい。
【００３６】
この構成によれば、使用者のファインダ窓への接眼状態と、カメラ本体のグリップ部分の保持状態とのうちの少なくとも一方が検知され、少なくとも一方の検知結果に基づいて、使用者のファインダ使用状態が検知される。したがって、使用者のファインダ窓への接眼状態と、カメラ本体のグリップ部分の保持状態とのうちの少なくとも一方を検知することによって、使用者のファインダ使用状態を検知することができ、使用者がファインダを覗いているのか、外部表示部を見ているのかを確実に検知することができる。
【発明の効果】
【００３７】
請求項１に記載の発明によれば、撮像部によって撮像された画像を表示する表示部が、焦点板上に結像された被写体像を焦点板から接眼部へ導く第１の位置に移動されることによって、光学ファインダとして機能させ、表示部によって表示された表示画像を接眼部に導く第２の位置に移動されることによって、電子ビューファインダとして機能させるので、撮影状況に応じて光学ファインダと電子ビューファインダとを切り換えることができる。
【００３８】
請求項２に記載の発明によれば、表示部の表示面の裏面に反射面を有し、この反射面をペンタミラーの最終反射面として利用しているので、ファインダ部を小型化することができる。
【００３９】
請求項３に記載の発明によれば、撮像部によって撮像された画像を表示する表示部は、表示面の裏面に反射面を有しており、表示部が、焦点板上に結像された被写体像を反射面によって反射させ、リレー光学系に導く第１の位置に移動されることによって光学ファインダとして機能させ、焦点板近傍であり、表示部によって表示された表示画像をリレー光学系に導く第２の位置に移動されることによって、電子ビューファインダとして機能させるので、撮影状況に応じて光学ファインダと電子ビューファインダとを切り換えることができる。
【００４０】
請求項４に記載の発明によれば、撮影者は、第１の表示モードに切り換えることによって、ファインダ部の表示部を見ながら撮影することができ、第２の表示モードに切り換えることによって、デジタルカメラ本体の背面に配置された外部表示部を見ながら撮影することができ、ファインダを覗きながらの撮影と、外部表示部を見ながらの撮影とを選択することができる。
【００４１】
請求項５に記載の発明によれば、使用者がファインダを除いている場合に、長い露光期間中ずっと光学ファインダに何も表示されない（ブラックアウト）状態が継続する動画撮影時においても、電子ビューファインダとして機能させることができ、常に被写体を確認しながら撮影することができる。
【００４２】
請求項６に記載の発明によれば、動画像を撮影する動画撮影モードにおいて、撮影者がファインダを使用している場合、電子ビューファインダを用いて表示し、撮影者がファインダを使用していない場合、外部表示部を用いて表示することによって、撮影者の撮影姿勢に応じて自動的に表示を切り換えることができる。
【００４３】
請求項７に記載の発明によれば、使用者のファインダ窓への接眼状態と、カメラ本体のグリップ部分の保持状態とのうちの少なくとも一方を検知することによって、使用者のファインダ使用状態を検知することができ、使用者がファインダを覗いているのか、外部表示部を見ているのかを確実に検知することができる。
【００４４】
請求項８に記載の発明によれば、静止画像の撮影待機時に外部表示部を使用するライブビューモードにおいて、撮影者がファインダを使用している場合、電子ビューファインダを用いて表示し、撮影者がファインダを使用していない場合、外部表示部を用いて表示することによって、撮影者の撮影姿勢に応じて自動的に表示を切り換えることができる。
【００４５】
請求項９に記載の発明によれば、使用者のファインダ窓への接眼状態と、カメラ本体のグリップ部分の保持状態とのうちの少なくとも一方を検知することによって、使用者のファインダ使用状態を検知することができ、使用者がファインダを覗いているのか、外部表示部を見ているのかを確実に検知することができる。
【発明を実施するための最良の形態】
【００４６】
以下、本発明の一実施の形態によるデジタルカメラについて図面を参照しながら説明する。
【００４７】
（第１の実施形態）
図１は、本発明の第１の実施形態に係るデジタルカメラについて説明するための図であり、図１（ａ）は、本発明の第１の実施形態に係るデジタルカメラの正面外観図であり、図１（ｂ）は、本発明の第１の実施形態に係るデジタルカメラの背面外観図である。
【００４８】
図１（ａ）に示すように、本実施形態に係るデジタルカメラ１０ａは、カメラ本体１と、このカメラ本体１の正面略中央に着脱可能に装着される交換レンズ（撮像レンズに相当する）２とを備えた一眼レフレックス型デジタルスチールカメラで構成されている。
【００４９】
図１（ａ）において、カメラ本体１は、正面略中央に交換レンズ２が装着されるマウント部（図示省略）と、マウント部付近に交換レンズを着脱するための着脱ボタン３と、正面左端部に使用者が把持するためのグリップ部４と、正面右上部に制御値を設定するための制御値設定ダイアル５と、正面左上部に撮影モードを切り換えるためのモード設定ダイアル（撮影モード切換部に相当する）６と、グリップ部４の上面に露光の開始及び／又は終了を指示するためのレリーズボタン７とを備えている。マウント部の近傍には、装着された交換レンズ２との電気的接続を行うための複数個の電気的接点（図示省略）と機械的接続を行うための複数個のカプラ（図示省略）とが設けられている。
【００５０】
電気的接点は、交換レンズ２に内蔵されたレンズＲＯＭ（リードオンリメモリ）から当該レンズに関する固有の情報（開放Ｆ値や焦点距離等の情報）をカメラ本体１内の全体制御部（図４参照）に送出したり、交換レンズ２内のフォーカスレンズの位置やズームレンズの位置の情報を全体制御部に送出したりするためのものである。
【００５１】
カプラは、カメラ本体１内に設けられたフォーカスレンズ駆動用モータの駆動力とズームレンズ駆動用モータの駆動力とを交換レンズ２内の各レンズに伝達するためのものである。
【００５２】
図１（ａ）において、グリップ部４の内部には電池収納室とカード収納室とが設けられている。電池収納室にはカメラの電源として、例えば、４本の単３形乾電池が収納されており、カード収納室には撮影画像の画像データを記録するためのメモリカードが着脱可能に収納されるようになっている。
【００５３】
モード設定ダイアル６は、静止画を撮影する静止画撮影モードと、動画を撮影する動画撮影モードとを含む複数の撮影モードを設定するためのものである。
【００５４】
レリーズボタン７は、途中まで押し込んだ「半押し状態Ｓ１」の操作と、さらに押し込んだ「全押し状態Ｓ２」の操作とが可能に構成されている。静止画撮影モードにおいて、レリーズボタン７が半押しされると、被写体の静止画を撮影するための準備動作（露出制御値の設定や焦点調節等の準備動作）が実行され、レリーズボタン７が全押しされると、撮影動作（後述するカラー撮像素子を露光し、その露光によって得られた画像信号に所定の画像処理を施してメモリカードに記録する一連の動作）が実行される。また、動画撮影モードにおいて、レリーズボタン７が全押しされると、撮影動作（カラー撮像素子を露光し、その露光によって得られた画像信号に所定の画像処理を施してメモリカードに記録する一連の動作）が開始され、再度レリーズボタン７が全押しされると、撮影動作が終了される。
【００５５】
図１（ｂ）において、カメラ本体１の背面略中央上部には、ファインダ窓１７が設けられている。ファインダ窓１７には、交換レンズ２からの被写体像が導かれる。撮影者は、ファインダ窓１７を除くことによって、被写体を視認することができる。ファインダ窓１７の右側には、ＥＶＦ切り換えボタン（表示モード切換部に相当する）１８が設けられている。ＥＶＦ切り換えボタン１８は、動画像を外部表示部１９によって表示する外部表示モードと、ファインダ部２７のＥＶＦ表示部３２によって表示し、ファインダ部２７を電子ビューファインダ（ＥＶＦ；Electric View Finder）として機能させるファインダ表示モードとに切り換えるものである。ＥＶＦ切り換えボタン１８が押下されると、外部表示モードからファインダ表示モードに切り換わり、再度ＥＶＦ切り換えボタン１８が押下されると、ファインダ表示モードから外部表示モードに切り換わる。
【００５６】
カメラ本体１の背面の略中央には、外部表示部（液晶表示部）１９が設けられている。外部表示部１９は、本実施形態では例えば画素数が４００（Ｘ方向）×３００（Ｙ方向）＝１２００００のカラー液晶表示素子からなり、記録モードにおいて露出制御に関するモード、撮影シーンに関するモードや撮影条件等を設定するためのメニュー画面を表示したり、再生モードにおいてメモリカードに記録された撮影画像を再生表示したりするものである。
【００５７】
外部表示部１９の左上部には電源スイッチ２０が設けられている。電源スイッチ２０は２点スライドスイッチからなり、接点を左方の「ＯＦＦ」位置に設定すると、電源がオフになり、接点を右方の「ＯＮ」位置に設定すると、電源がオンになる。
【００５８】
外部表示部１９の右側には方向選択キー２１が設けられている。方向選択キー２１は円形の操作ボタンを有し、この操作ボタンにおける上下左右の４方向の押圧操作と、右上、左上、右下及び左下の４方向の押圧操作とが、それぞれ検出されるようになっている。
【００５９】
方向選択キー２１は多機能化されており、例えば外部表示部１９に表示される撮影シーン設定のためのメニュー画面において選択された項目を変更するための操作スイッチとして機能し、複数のサムネイル画像が配列表示されるインデックス画面において選択された再生対象のコマを変更するための操作スイッチとして機能する。また、方向選択キー２１は、交換レンズ２のズームレンズの焦点距離を変更するためのズームスイッチとして機能させることもできる。
【００６０】
外部表示部１９の下方位置には、外部表示部１９の表示や表示内容に関する操作を行うためのスイッチとして、取消スイッチ２２、確定スイッチ２３、メニュー表示スイッチ２４及び外部表示切換スイッチ２５が設けられている。
【００６１】
取消スイッチ２２はメニュー画面で選択された内容を取り消すためのスイッチである。確定スイッチ２３はメニュー画面で選択された内容を確定するためのスイッチである。メニュー表示スイッチ２４は外部表示部１９にメニュー画面を表示させたり、メニュー画面の内容（例えば撮影シーン設定画面や露出制御に関するモード設定画面など）を切り換えるためのスイッチで、メニュー表示スイッチ２４の押圧ごとにメニュー画面が切り換わる。外部表示切換スイッチ２５は、外部表示部１９への表示をオンにしたり、その表示をオフにしたりするスイッチで、外部表示切換スイッチ２５の押圧ごとに外部表示部１９の表示と非表示とが交互に行われる。なお、電池の節電を図るため、カメラ起動時には外部表示部１９の表示は行われないように制御することもできる。
【００６２】
次に、本発明の第１の実施形態に係るデジタルカメラの内部構成について説明する。図２は、本発明の第１の実施形態に係るデジタルカメラの内部構成を示す側面断面図であり、図２（ａ）は、撮影待機状態におけるデジタルカメラの内部構成を示す側面断面図であり、図２（ｂ）は、撮影（露光）状態におけるデジタルカメラの内部構成を示す側面断面図である。
【００６３】
図２（ａ）及び図２（ｂ）に示すように、カメラ本体１に交換レンズ２が装着されたときの当該レンズ２の光軸Ｌ上であってカメラ本体１内の適所には、カラー撮像素子（撮像部に相当する）２６が配設されている。カラー撮像素子２６は、基板２６ａ上に配置されている。
【００６４】
カラー撮像素子（以下「ＣＣＤ」という。）２６は、ＣＣＤ（Charge Coupled Device）が２次元状に配置されたエリアセンサの各ＣＣＤの表面に、Ｒ（赤），Ｇ（緑），Ｂ（青）のカラーフィルタが市松模様状に貼り付けられた、いわゆるベイヤー方式と呼ばれる単板式カラーエリアセンサで構成されており、本実施形態では例えば１６００（Ｘ方向）×１２００（Ｙ方向）＝１９２００００個の画素を有している。
【００６５】
なお、カラー撮像素子２６としては、ＣＣＤイメージセンサ、ＣＭＯＳイメージセンサ、ＶＭＩＳイメージセンサ等幾つかの選択肢があるが、本実施形態では、ＣＣＤイメージセンサを使用する場合について説明する。
【００６６】
光軸Ｌ上において、被写体光をファインダ部２７に向けて反射させる位置には、ハーフミラー（反射板に相当する）２８が配置されている。交換レンズ２を通過した被写体光は、ハーフミラー２８によって反射され、焦点板２９に結像される。交換レンズ２を通過した被写体光の一部は、ハーフミラー２８を透過する。
【００６７】
ファインダ部２７は、中空のペンタミラー（ペンタゴナルダハミラー）３０、接眼レンズ３１、ＥＶＦ表示部（表示部に相当する）３２、固定ミラー３４、移動機構３５及びファインダ窓１７を備えている。
【００６８】
ＥＶＦ表示部３２は、ＣＣＤ２６によって撮像された画像を表示する液晶表示装置３２２と、ペンタミラー３０の最終反射面として機能する可動ミラー３２３とで構成され、液晶表示装置３２２の表示面の背面に可動ミラー３２３が配置されている。
【００６９】
図３は、ＥＶＦ表示部３２について説明するための図であり、図３（ａ）は、ＥＶＦ表示部３２の表示面側を示す図であり、図３（ｂ）は、ＥＶＦ表示部３２の表示面の裏面側を示す図である。
【００７０】
図３（ａ）に示すように、ＥＶＦ表示部３２は、枠体３２１に液晶表示装置３２２が組み込まれており、液晶表示装置３２２の背面にミラー（可動ミラー３２３）が接着されている。液晶表示装置３２２は、本実施形態では例えば画素数が６４０（Ｘ方向）×４８０（Ｙ方向）＝３０７２００のカラー液晶表示素子からなり、ＣＣＤ２６で撮影された被写体のモニタ画像、すなわち、動画撮影モードが選択された動画撮影時において、ＣＣＤ２６により動画撮影された被写体の画像を表示するものである。ＥＶＦ表示部３２は、回転軸３５１によって軸支されており、回転軸３５１側の開口部からは駆動用のコネクタケーブル３５２が出ている。
【００７１】
移動機構３５は、焦点板２９上に結像された被写体像を焦点板２９から接眼レンズ３１（ファインダ窓１７）へ導く光路上からＥＶＦ表示部３２の表示面を退避させる第１の位置にＥＶＦ表示部３２を移動させるとともに、ＥＶＦ表示部３２の液晶表示部３２２によって表示された表示画像を接眼レンズ３１（ファインダ窓１７）に導く第２の位置にＥＶＦ表示部３２を移動させる。
【００７２】
このように、ＥＶＦ表示部３２の液晶表示装置３２２と可動ミラー３２３とは表裏一体に形成され、ＥＶＦ表示部３２を構成する液晶表示装置３２２の表示面の裏面には、反射面である可動ミラー３２３が配置されている。撮影待機時において、ＥＶＦ表示部３２は、ペンタミラー３０の最終反射面となる第１の位置（図２（ａ）に示す位置）に、回転軸３５１を中心にして回転移動し、可動ミラー３２３がペンタミラー３０の最終反射面となり、被写体像を接眼レンズ３１に導く。動画撮影時において、ＥＶＦ表示部３２は、焦点板２９の近傍である第２の位置（図２（ｂ）に示す位置）に、回転軸３５１を中心にして回転移動し、ＥＶＦ表示部３２の表示面である液晶表示装置３２２に表示された表示画像がペンタミラー３０によって反射され、ペンタミラー３０の最終反射面に配置された固定ミラー３４によって接眼レンズ３１に導かれる。
【００７３】
すなわち、図２（ａ）に示すように、撮影待機時において、焦点板２９によって結像された被写体像は、ペンタミラー３０によって反射される。ペンタミラー３０によって反射された被写体像は、ＥＶＦ表示部３２の反射面である可動ミラー３２３によって反射され、接眼レンズ３１に入射する。接眼レンズ３１は、被写体像をファインダ窓１７の外側に導く。このような構成により、ファインダ部２７は、撮影待機時において光学ファインダとして機能する。
【００７４】
また、図２（ｂ）に示すように、動画撮影時において、ＥＶＦ表示部３２の表示面である液晶表示装置３２２によって表示される表示画像は、ペンタミラー３０によって反射される。ペンタミラー３０によって反射された表示画像は、固定ミラー３４によって最終的に反射され、接眼レンズ３１に入射する。接眼レンズ３１は、ＥＶＦ表示部３２の液晶表示装置３２２によって表示される表示画像をファインダ窓１７の外側に導く。このような構成により、ファインダ部２７は、動画撮影時において電子ビューファインダとして機能する。
【００７５】
なお、焦点板２９の位置と、第２の位置におけるＥＶＦ表示部３２の表示面の位置とは、若干異なっている。そこで、接眼レンズ３１を前後に移動させ、焦点が合うように調節してもよい。また、移動機構３５に連動して焦点位置を移動するべく接眼レンズ３１の一部を自動的調整するよう構成してもよい。
【００７６】
ハーフミラー２８の後方には、サブミラー３６が配置されており、ハーフミラー２８を透過した被写体光の一部がサブミラー３６によって反射され、反射された被写体光が焦点検出部３７に入射する。焦点検出部３７は、被写体のピント情報を検出する。
【００７７】
ハーフミラー２８及びサブミラー３６は、いわゆるクイックリターンミラーであり、露光時に上方へ跳ね上がって焦点板２９の下方で停止し、被写体像をカラー撮像素子２６上に導き、露光が終了すると、元の位置に復帰する。
【００７８】
カラー撮像素子２６の直前には、シャッタ３８が配置されており、露光時に開閉するよう制御される。なお、シャッタ３８は、例えば、縦走りフォーカルプレーンシャッタである。
【００７９】
図４は、本発明の第１の実施形態に係るデジタルカメラの電気的構成を示すブロック図である。なお、図１〜図３と同一物には同一符号を付している。
【００８０】
デジタルカメラ１０ａは、交換レンズ２、撮像部４０、信号処理部５０、レンズ制御部６０、表示部７０、操作部８０、全体制御部９０、ハーフミラー駆動部１２０、ファインダ切り換え部１３０及びシャッタ制御部１４０などを備えている。
【００８１】
交換レンズ２は、フォーカスレンズ、ズームレンズおよび透過光量を調節するための絞りを備えるとともに、当該レンズに関する固有の情報（開放Ｆ値や焦点距離等の情報）が格納されたレンズＲＯＭを備えている。レンズＲＯＭは、電気的接点を介して全体制御部９０に接続されている。
【００８２】
撮像部４０は、交換レンズ２を通して入射する被写体光像を光電変換して画像信号（電気画像）として出力するもので、ＣＣＤ２６、タイミングジェネレータ４１及びタイミング制御回路４２を備えている。
【００８３】
ＣＣＤ２６は、タイミングジェネレータ４１から入力される駆動制御信号（蓄積開始信号・蓄積終了信号）に基づき被写体光像を所定の露光時間だけ受光して画像信号（電荷蓄積信号）に変換し、その画像信号をタイミングジェネレータ４１から入力される読出制御信号（水平同期信号、垂直同期信号、転送信号等）に従って信号処理部５０に送出する。このとき、画像信号は各色成分Ｒ，Ｇ，Ｂに分離されて信号処理部５０に送出される。
【００８４】
なお、以下において、説明の便宜上、各画素の受光信号とこれらの集合により撮影画像を構成する画像信号とを区別するため、必要に応じて各画素の受光信号を画素信号（アナログ値）または画素データ（デジタル値）という。
【００８５】
タイミングジェネレータ４１は、タイミング制御回路４２から入力される撮影制御信号に基づき駆動制御信号を生成するとともに、基準クロック信号に基づき読出制御信号を生成し、それぞれＣＣＤ２６に送出する。
【００８６】
タイミング制御回路４２は、ＣＣＤ２６の撮影動作を制御するもので、全体制御部９０から入力される制御信号に基づき撮影制御信号を生成する。この撮影制御信号は、動画撮影モードにおいて被写体の動画像（以下「ライブビュー画像」という。）をファインダ部２７のＥＶＦ表示部３２にモニタ表示するための制御信号、静止画撮影モードにおいて被写体の静止画を撮影するための制御信号、基準クロック信号、ＣＣＤ２６から送出される画像信号を信号処理部５０で信号処理するためのタイミング信号（同期クロック信号）などを含む。このタイミング信号は、信号処理部５０内のアナログ信号処理回路５１およびＡ／Ｄ変換回路５２に入力される。
【００８７】
信号処理部５０は、ＣＣＤ２６から送出される画像信号に所定のアナログ信号処理およびデジタル信号処理を施すもので、画像信号の信号処理は当該画像信号を構成する各画素信号ごとに行われる。この信号処理部５０は、アナログ信号処理回路５１、Ａ／Ｄ変換回路５２、黒レベル補正回路５３、ホワイトバランス（ＷＢ）回路５４、γ補正回路５５及び画像メモリ５６を備えており、黒レベル補正回路５３、ＷＢ回路５４及びγ補正回路５５はデジタル信号処理を施す回路を構成する。
【００８８】
アナログ信号処理回路５１は、ＣＣＤ２６から出力されるアナログ値の画像信号に所定のアナログ信号処理を施すもので、画像信号のサンプリングノイズの低減を行うＣＤＳ（相関二重サンプリング）回路と、画像信号のレベル調整を行うＡＧＣ（オートゲインコントロール）回路とを備えている。ＡＧＣ回路は、交換レンズ２に内蔵される絞り値とＣＣＤ２６の露光時間とで適正露出が得られなかった場合（例えば非常に低輝度の被写体を撮影する場合等）の撮影画像のレベル不足を補償する機能も有する。なお、ＡＧＣ回路のゲインは全体制御部９０により設定される。
【００８９】
Ａ／Ｄ変換回路５２は、アナログ信号処理回路５１から出力される画像信号をデジタル値の画像信号（以下「画像データ」という。）に変換するもので、各画素で受光して得られる画素信号を例えば１２ビットの画素データに変換する。黒レベル補正回路５３は、Ａ／Ｄ変換された各画素データの黒レベルを基準の黒レベルに補正するものである。
【００９０】
ＷＢ回路５４は、撮影画像のホワイトバランスを調整するもので、全体制御部９０から入力されるレベル変換テーブルを用いて各色成分Ｒ，Ｇ，Ｂの画素データのレベルを変換することで撮影画像のホワイトバランスを調整する。なお、レベル変換テーブルの各色成分の変換係数は全体制御部９０により撮影画像ごとに設定される。
【００９１】
γ補正回路５５は、画素データのγ特性を補正することにより階調補正を行うもので、γ特性の異なる複数種類のγ補正テーブルをルックアップテーブル（ＬＵＴ）として有し、設定された撮影シーンに応じて所定のγ補正テーブルにより画素データのγ補正を行う。なお、このγ補正処理において、１０ビットの画素データは、８ビット（２５６階調）の画素データに変換される。γ補正処理前の画素データを１０ビットデータとしているのは、非線形性の強いγ特性でγ補正を行った場合の画質劣化を防止するためである。また、各色成分Ｒ，Ｇ，Ｂの画素データはＷＢ回路５４で所定のレベル変換が行われており、これらの画素データをそれぞれγ補正テーブルでγ補正する。
【００９２】
画像メモリ５６は、信号処理の終了した画像データを一時的に保存するメモリで、複数フレーム分の画像データを記憶し得る容量を有している。なお、１フレーム分の画像データを記憶し得る記憶容量は、本実施形態では例えばＣＣＤ２６の画素数が１６００×１２００＝１９２００００であるので、１９２００００個のカラー画素データを記憶し得る容量になる。
【００９３】
レンズ制御部６０は、フォーカスレンズ駆動用モータ（以下、「ＦＭ」とする）６１、ズームレンズ駆動用モータ（以下、「ＺＭ」とする）６２及び絞り制御ドライバ６３を備えている。
【００９４】
絞り制御ドライバ６３は、交換レンズ２に内蔵される絞りの絞り値を制御するもので、全体制御部９０から入力される絞り値に基づき絞りを駆動し、その開口量を当該絞り値に設定している。
【００９５】
ＦＭ６１は、全体制御部９０から入力されるＡＦ制御信号（例えば駆動パルス数等の制御値）に基づいて駆動し、交換レンズ２に内蔵されるフォーカスレンズを焦点位置に移動させる。
【００９６】
ＺＭ６２は、全体制御部９０から入力されるズーム制御信号（方向選択キー２１の操作情報）に基づいて駆動し、交換レンズ２に内蔵されるズームレンズを移動させる。ＺＭ６２は、全体制御部９０から方向選択キー２１の右スイッチの操作情報が入力されると正方向に駆動してズームレンズを望遠（テレ）側に移動させ、方向選択キー２１の左スイッチの操作情報が入力されると逆方向に駆動してズームレンズを広角（ワイド）側に移動させる。
【００９７】
交換レンズ２のズーム操作では、方向選択キー２１の右スイッチを押圧している間だけ交換レンズ２がテレ側に連続的に移動し、方向選択キー２１の左スイッチを押圧している間だけ交換レンズ２がワイド側に連続的に移動する。
【００９８】
表示部７０は、液晶表示装置（図４ではＥＶＦとする。）３２２および外部表示部（図４ではＬＣＤとする。）１９を備えるとともに、ＶＲＡＭ７１，７２を備えている。
【００９９】
ＶＲＡＭ７１は、外部表示部１９への表示画像を格納するためのバッファメモリで、外部表示部１９の画素数に対応して４００×３００個のカラー画素データが記憶可能なメモリ容量を有している。ＶＲＡＭ７２は、液晶表示装置３２２への表示画像を格納するためのバッファメモリで、液晶表示装置３２２の画素数に対応して６４０×４８０個のカラー画素データが記憶可能なメモリ容量を有している。
【０１００】
操作部８０は、レリーズボタン７（図１（ａ））が半押しされるとオンになるロックスイッチ８１と、レリーズボタン７（図１（ａ））が全押しされるとオンになるレリーズスイッチ８２とを備えるとともに、上記図１（ｂ）に示すモード設定ダイアル６及びＥＶＦ切り換えボタン１８等が含まれ、これらの操作情報が全体制御部９０に入力される。
【０１０１】
全体制御部９０は、ＣＰＵ（中央演算処理装置）などからなり、ＲＯＭ（リードオンリメモリ）９１及びＲＡＭ（ランダムアクセスメモリ）９２を含む。ＲＯＭ９１は、全体制御部９０のＣＰＵの動作を制御する制御プログラムを記憶するものである。ＲＡＭ９２は、演算処理や制御処理などにおける種々のデータを一時的に格納するものである。
【０１０２】
全体制御部９０は、ＲＯＭ９１に格納された制御プログラムに従って本デジタルカメラ１０ａの各部の動作を制御するもので、レリーズボタン７が半押しされ、ロックスイッチ８１のオン信号が検出されると、被写体の静止画を撮影するための準備動作（露出制御値の設定や焦点調節等の準備動作）を実行し、レリーズボタン７が全押しされ、レリーズスイッチ８２のオン信号が検出されると、撮影動作（ＣＣＤ２６を露光し、その露光によって得られた画像信号に所定の画像処理を施してメモリカード９４に記録する一連の動作）を実行する機能を有する。
【０１０３】
この全体制御部９０は、カードＩ／Ｆ９３を介してメモリカード９４に接続されている。カードＩ／Ｆ９３は、メモリカード９４への画像データの書込み及び画像データの読出しを行うためのインターフェースである。メモリカード９４は、静止画像及び動画像などの画像データを記録する。
【０１０４】
ハーフミラー駆動部１２０は、ハーフミラー２８を駆動するものであり、全体制御部９０から入力される退避信号に基づき、ハーフミラー２８を交換レンズ２の光軸Ｌから退避させる。すなわち、ハーフミラー駆動部１２０は、交換レンズ２からの被写体像を焦点板２９に反射させる位置から、交換レンズ２からの被写体像をＣＣＤ２６に導く位置にハーフミラー２８を移動させる。この退避信号は、レリーズスイッチ８２のオン信号が全体制御部９０に入力されると、全体制御部９０によって生成され、ハーフミラー駆動部１２０に出力される。なお、ハーフミラー駆動部１２０は、ハーフミラー２８とともに、サブミラー３６を交換レンズ２の光軸Ｌから退避させる。
【０１０５】
ファインダ切り換え部１３０は、撮影モードに応じて、焦点板２９上に結像された被写体像をＥＶＦ表示部３２の可動ミラー３２３によって接眼レンズ３１に導く第１の位置から、ＥＶＦ表示部３２の液晶表示装置３２２によって表示される表示画像を接眼レンズ３１に導く第２の位置にＥＶＦ表示部３２を移動させる。シャッタ制御部１４０は、シャッタ３８の開閉を制御する。
【０１０６】
なお、ハーフミラー駆動部１２０とファインダ切り換え部１３０との両動作は、機構的に連動させることも可能である。すなわち、ハーフミラー駆動部１２０及びファインダ切り換え部１３０のうちのいずれか一方のみを駆動することによって、他方も連動して駆動することができる。
【０１０７】
次に、本発明に係るデジタルカメラ１０ａの動作について説明する。図５は、本発明に係るデジタルカメラの動作について説明するためのフローチャートである。なお、電源オン時において、ＥＶＦ表示部３２は、可動ミラー３２３がペンタミラー３０の最終反射面であり、焦点板２９上に結像された被写体像を接眼レンズ３１に導く第１の位置に配置されている。また、電源オフ時において、ＥＶＦ表示部３２が、焦点板２９の近傍であり、ＥＶＦ表示部３２の液晶表示装置３２２によって表示された表示画像を接眼レンズ３１に導く第２の位置にある場合、ＥＶＦ表示部３２を第１の位置に移動させてから電源を完全にオフにする。さらに、第１の位置にＥＶＦ表示部３２がある場合、全体制御部９０は、ＥＶＦ表示部３２の表示面（液晶表示装置３２２）に画像が表示されないよう制御する。
【０１０８】
まず、ステップＳ１において、全体制御部９０は、モード設定ダイアル６による撮影モードの設定を受け付ける。撮影者は、モード設定ダイアル６を操作することによって、静止画撮影モードと動画撮影モードとに切り換えることができる。
【０１０９】
次に、ステップＳ２において、全体制御部９０は、受け付けられた撮影モードが静止画撮影モードであるか否か、すなわち、静止画撮影モードであるか或いは動画撮影モードであるかを判断する。ここで、静止画撮影モードであると判断されると（ステップＳ２でＹＥＳ）、ステップＳ２１に移行し、静止画撮影モードではなく、動画撮影モードであると判断されると（ステップＳ２でＮＯ）、ステップＳ３に移行する。
【０１１０】
静止画撮影モードではなく、動画撮影モードであると判断された場合、ステップＳ３において、全体制御部９０は、ＥＶＦ切り換えボタン１８による表示モードの設定を受け付ける。撮影者は、ＥＶＦ切り換えボタン１８を操作することによって、動画像を外部表示部１９によって表示する外部表示モードと、ファインダ部２７によって表示するファインダ表示モードとに切り換えることができる。このように、動画像を外部表示部１９によって表示する外部表示モードと、ファインダ部２７によって表示するファインダ表示モードとに切り換えられるので、外部表示部１９と液晶表示装置３２２との両方で表示するよりも消費電力を節約することができる。
【０１１１】
次に、ステップＳ４において、全体制御部９０は、受け付けられた表示モードが外部表示モードであるか否か、すなわち、外部表示モードであるか或いはファインダ表示モードであるかを判断する。ここで、外部表示モードであると判断されると（ステップＳ４でＹＥＳ）、ステップＳ６に移行し、外部表示モードではなく、ファインダ表示モードであると判断されると（ステップＳ４でＮＯ）、ステップＳ５に移行する。
【０１１２】
外部表示モードではなく、ファインダ表示モードであると判断された場合、ステップＳ５において、ファインダ切り換え部１３０は、ペンタミラー３０の最終反射面であり、焦点板２９上に結像された被写体像を接眼レンズ３１に導く第１の位置から、焦点板２９近傍であり、ＥＶＦ表示部３２の液晶表示装置３２２によって表示された表示画像を接眼レンズ３１に導く第２の位置にＥＶＦ表示部３２を移動させる。
【０１１３】
次に、ステップＳ６において、ハーフミラー駆動部１２０は、ハーフミラー２８及びサブミラー３６を駆動し、交換レンズ２の光軸Ｌからハーフミラー２８及びサブミラー３６を上方に退避させる。また、シャッタ制御部１４０は、シャッタ３８を開くよう制御する。ハーフミラー２８及びサブミラー３６が退避され、シャッタ３８が開かれることによって、ＣＣＤ２６の撮像面上に被写体像が結像される。
【０１１４】
次に、ステップＳ７において、全体制御部９０は、撮像部４０及び信号処理部５０を制御し、ＣＣＤ２６によって撮像された画像データを画像メモリ５６に取り込む。
【０１１５】
外部表示モードに設定されている場合、ステップＳ８において、全体制御部９０は、動画像（ライブビュー画像）を外部表示部１９に表示するよう制御し、外部表示部１９は、動画像を表示する。
【０１１６】
一方、ファインダ表示モードに設定されている場合、ステップＳ８において、全体制御部９０は、動画像（ライブビュー画像）をＥＶＦ表示部３２の液晶表示装置３２２に表示するよう制御し、液晶表示装置３２２は、動画像を表示する。
【０１１７】
次に、ステップＳ９において、全体制御部９０は、ＣＣＤ２６によって出力される映像信号のコントラストを検出し、コントラストの増える方向に交換レンズ２のフォーカスレンズを動かす映像ＡＦ（コントラスト）方式によって、焦点調節を行う。
【０１１８】
次に、ステップＳ１０において、全体制御部９０は、レリーズボタン７が全押しされたか否か、すなわち、レリーズスイッチ８２からオン信号が入力されたか否かを判断する。ここで、レリーズボタン７が全押しされたと判断されると（ステップＳ１０でＹＥＳ）、ステップＳ１１に移行し、レリーズボタン７が全押しされていないと判断されると（ステップＳ１０でＮＯ）、ステップＳ９に戻り、焦点調節が行われる。
【０１１９】
レリーズボタン７が全押しされた場合、ステップＳ１１において、全体制御部９０は、ＣＣＤ２６による露光を開始し、動画撮影を実行する。すなわち、全体制御部９０は、画像メモリ５６に記憶される１フレームごとの画像データを順次カードＩ／Ｆ９３を介してメモリカード９４に出力する。次に、ステップＳ１２において、メモリカード９４は、１フレームごとの画像データを順次記録することによって、動画像を記録する。
【０１２０】
次に、ステップＳ１３において、全体制御部９０は、レリーズボタン７が全押しされたか否か、すなわち、レリーズスイッチ８２からオン信号が入力されたか否かを判断する。ここで、レリーズボタン７が全押しされたと判断されると（ステップＳ１３でＹＥＳ）、ステップＳ１４に移行し、レリーズボタン７が全押しされていないと判断されると（ステップＳ１３でＮＯ）、ステップＳ１１に戻り、動画撮影が継続実行される。
【０１２１】
レリーズボタン７が全押しされた場合、ステップＳ１４において、ハーフミラー駆動部１２０は、ハーフミラー２８及びサブミラー３６を駆動し、交換レンズ２の光軸Ｌ上にハーフミラー２８及びサブミラー３６を移動させる。また、シャッタ制御部１４０は、シャッタ３８を閉じるよう制御する。
【０１２２】
次に、ステップＳ１５において、ファインダ切り換え部１３０は、焦点板２９近傍であり、ＥＶＦ表示部３２の液晶表示装置３２２によって表示された表示画像を接眼レンズ３１に導く第２の位置から、ペンタミラー３０の最終反射面であり、焦点板２９上に結像された被写体像を接眼レンズ３１に導く第１の位置にＥＶＦ表示部３２を移動させる。以上のようにして、デジタルカメラ１０ａによる動画撮影が行われる。
【０１２３】
一方、ステップＳ２で静止画撮影モードであると判断された場合、ステップＳ２１において、全体制御部９０は、レリーズボタン７が半押しされたか否か、すなわち、ロックスイッチ８１からオン信号が入力されたか否かを判断する。ここで、レリーズボタン７が半押しされたと判断されると（ステップＳ２１でＹＥＳ）、ステップＳ２２に移行し、レリーズボタン７が半押しされていないと判断されると（ステップＳ２１でＮＯ）、レリーズボタン７が半押しされるまで待機状態となる。
【０１２４】
レリーズボタン７が半押しされたと判断された場合、ステップＳ２２において、全体制御部９０は、例えばＴＴＬ（スルーザレンズ）方式で測光を行い、適正な露出制御値を決定する。次に、ステップＳ２３において、全体制御部９０は、例えば、ＴＴＬ位相差検出方式により焦点を自動調整する。
【０１２５】
次に、ステップＳ２４において、レリーズボタン７が全押しされたか否か、すなわち、レリーズスイッチ８２からオン信号が入力されたか否かを判断する。ここで、レリーズボタン７が全押しされたと判断されると（ステップＳ２４でＹＥＳ）、ステップＳ２５に移行し、レリーズボタン７が全押しされていないと判断されると（ステップＳ２４でＮＯ）、ステップＳ２１に戻り、レリーズボタン７が半押しされているか否かの判断が行われる。
【０１２６】
レリーズボタン７が全押しされたと判断された場合、ステップＳ２５において、ハーフミラー駆動部１２０は、ハーフミラー２８及びサブミラー３６を駆動し、交換レンズ２の光軸Ｌからハーフミラー２８及びサブミラー３６を上方に退避させる。また、シャッタ制御部１４０は、シャッタ３８を開くよう制御する。ハーフミラー２８及びサブミラー３６が退避され、シャッタ３８が開かれることによって、ＣＣＤ２６の撮像面上に被写体像が結像される。
【０１２７】
次に、ステップＳ２６において、全体制御部９０は、ＣＣＤ２６による露光を開始し、露出制御値に応じた時間だけ、静止画撮影を実行する。すなわち、全体制御部９０は、露出制御値に応じた時間だけ、画像メモリ５６に記憶される画像データをカードＩ／Ｆ９３を介してメモリカード９４に出力する。次に、ステップＳ２７において、メモリカード９４は、画像データを記録することによって、静止画像を記録する。
【０１２８】
次に、ステップＳ２８において、ハーフミラー駆動部１２０は、ハーフミラー２８及びサブミラー３６を駆動し、交換レンズ２の光軸Ｌ上にハーフミラー２８及びサブミラー３６を移動させる。また、シャッタ制御部１４０は、シャッタ３８を閉じるよう制御する。以上のようにして、デジタルカメラ１０ａによる静止画撮影が行われる。
【０１２９】
ここで、各撮影モードにおける使用可能なファインダについてまとめると、下記の表１のようになる。表１は、各撮影モードと使用可能なファインダとの関係について説明するための表である。表１では、各撮影モードにおいて使用可能なファインダを「○」で示している。なお、本実施形態における撮影モードには、メモリカード９４に記録した静止画像及び動画像を再生する再生モードが含まれる。表１に示すように、静止画撮影モードでは、光学ファインダ、外部表示部による表示及び電子ビューファインダによる表示（ＥＶＦモード）が使用可能であり、動画撮影モード及び再生モードでは、外部表示部による表示及び電子ビューファインダによる表示が使用可能である。
【０１３０】
【表１】
2005311764.tif 000003
【０１３１】
また、各撮影モードと各機構の動作状態との関係は、下記の表２のようになる。表２は、各撮影モードと各機構の動作状態との関係について説明するための表である。表２では、光学ファインダ、外部表示部、ＥＶＦモード及び再生モードにおけるハーフミラー／シャッタ、ＥＶＦ表示部（ミラー兼表示装置）及びＡＦ（オートフォーカス）の動作状態をそれぞれ示している。なお、表２に示す「＊１」〜「＊５」は、表１に示す「＊１」〜「＊５」に対応している。
【０１３２】
【表２】
2005311764.tif 000004
【０１３３】
表２に示すように、静止画撮影モードにおいて光学ファインダを使用する場合（「＊１」の場合）、ハーフミラー／シャッタの動作状態はダウン／閉であり、ＥＶＦ表示部の動作状態はミラー面側がファインダの光路上にあり、ＡＦは位相差検出方式で行われる。静止画撮影モードにおいて外部表示部を使用する場合及び動画撮影モードにおいて外部表示部を使用する場合（「＊２」の場合）、ハーフミラー／シャッタの動作状態はアップ／開であり、ＥＶＦ表示部の動作状態はミラー面側がファインダの光路上にある場合と表示面側がファインダの光路上にある場合とがあり、ＡＦは映像ＡＦ（コントラスト）方式で行われる。静止画撮影モードにおいて電子ビューファインダを使用する場合及び動画撮影モードにおいて電子ビューファインダを使用する場合（「＊３」の場合）、ハーフミラー／シャッタの動作状態はアップ／開であり、ＥＶＦ表示部の動作状態は表示面側がファインダの光路上にあり、ＡＦは映像ＡＦ（コントラスト）方式で行われる。再生モードにおいて外部表示部を使用する場合（「＊４」の場合）、ハーフミラー／シャッタの動作状態はアップ／開の場合とダウン／閉の場合とがあり、ＥＶＦ表示部の動作状態はミラー面側がファインダの光路上にある場合と表示面側がファインダの光路上にある場合とがある。再生モードにおいて電子ビューファインダを使用する場合（「＊５」の場合）、ハーフミラー／シャッタの動作状態はアップ／開の場合とダウン／閉の場合とがあり、ＥＶＦ表示部の動作状態は表示面側がファインダの光路上にある。
【０１３４】
このように、ＣＣＤ２６によって撮像された画像を表示する液晶表示装置３２２と、ペンタミラー３０の最終反射面として機能する可動ミラー３２３とを備えるＥＶＦ表示部３２が、焦点板２９上に結像された被写体像をＥＶＦ表示部３２の可動ミラー３２３によって反射させて接眼レンズ３１に導く第１の位置に移動されることによって、ファインダ部２７を光学ファインダとして機能させる。また、ＥＶＦ表示部３２が、ＥＶＦ表示部３２の液晶表示装置３２２によって表示された表示画像を接眼レンズ３１に導く第２の位置に移動されることによって、ファインダ部２７を電子ビューファインダとして機能させる。したがって、撮影状況に応じて光学ファインダと電子ビューファインダとを切り換えることができる。
【０１３５】
また、ＥＶＦ表示部３２の表示面の裏面に反射面を有し、この反射面をペンタミラー３０の最終反射面として利用しているので、ファインダ部２７を小型化することができる。
【０１３６】
また、ＣＣＤ２６によって撮像された画像をＥＶＦ表示部３２の液晶表示装置３２２によって表示する第１の表示モードと、ＣＣＤ２６によって撮像された画像を外部表示部１９によって表示する第２の表示モードとに切り換えられる。したがって、撮影者は、第１の表示モードに切り換えることによって、ファインダ部２７のＥＶＦ表示部３２が備える液晶表示装置３２２によって表示される表示画像を見ながら撮影することができ、第２の表示モードに切り換えることによって、デジタルカメラ本体の背面に配置された外部表示部１９を見ながら撮影することができ、ファインダ部２７を覗きながらの撮影と、外部表示部１９を見ながらの撮影とを選択することができる。
【０１３７】
また、静止画像を撮影する静止画撮影モードと、動画像を撮影する動画撮影モードとが切り換えられ、動画撮影モードに切り換えられた場合、ＣＣＤ２６によって撮像された画像をＥＶＦ表示部３２の液晶表示装置３２２によって表示する第１の表示モードに切り換えられる。したがって、使用者がファインダを除いている場合に、長い露光期間中ずっと光学ファインダに何も表示されない（ブラックアウト）状態が継続する動画撮影時においても、ファインダ部２７を電子ビューファインダとして機能させることができ、常に被写体を確認しながら撮影することができる。
【０１３８】
さらに、撮影待機時及び静止画撮影時において、撮影者は、光学ファインダを用いて被写体を見ることができ、鮮明でちらつきの無いファインダ像を得ることができる。また、動画撮影時に光学ファインダが電子ビューファインダに切り換わるので、撮影者は、ファインダから被写体を見ることができ、ブラックアウトすることなくファインダ像を得ることができる。
【０１３９】
さらにまた、明るい場所であっても、カメラ本体１の背面に設けられた外部表示部１９を利用することなく、電子ビューファインダによって被写体の構図などを確認することができる。また、撮影者は、電子ビューファインダを用いて撮影することによって、構図を決めるために画像に集中することができ、ズームの望遠端付近で手振れを起こさないようにしっかりと構えることができる。
【０１４０】
なお、本実施形態において、全体制御部９０は、モード設定ダイアル６による撮影モードの設定を受け付け、動画撮影モードに設定された場合に、ファインダ部２７のＥＶＦ表示部３２が備える液晶表示装置３２２を用いて表示しているが、本発明は特にこれに限定されず、静止画撮影モードに設定された場合であっても、液晶表示装置３２２を用いて表示してもよい。
【０１４１】
また、本実施形態において、動画撮影モードであると判断された場合、全体制御部９０は、ＥＶＦ切り換えボタン１８による表示モードの設定を受け付け、動画像を外部表示部１９によって表示する外部表示モードと、ファインダ部２７のＥＶＦ表示部３２が備える液晶表示装置３２２によって表示するファインダ表示モードとに切り換えているが、本発明は特にこれに限定されず、外部表示部１９と液晶表示装置３２２の両方で表示してもよい。この場合、図５に示すステップＳ３及びステップＳ４の処理が不要となる。
【０１４２】
（第２の実施形態）
次に、本発明の第２の実施形態について説明する。第１の実施形態では、ファインダ部２７の光学系にペンタミラー３０を用い、ペンタミラー３０の最終反射面であり、焦点板２９上に結像された被写体像を接眼レンズ３１に導く第１の位置から、焦点板２９近傍であり、ＣＣＤ２６によって撮像された画像を接眼レンズ３１に導く第２の位置にＥＶＦ表示部３２を移動させている。これに対し、第２の実施形態では、ファインダ部２７の光学系にリレー光学系を用い、焦点板上に結像された被写体像を、ＥＶＦ表示部３２の表示面の裏面に設けられた反射面によって反射させ、リレー光学系に導く第１の位置にＥＶＦ表示部３２を移動させるとともに、焦点板近傍であり、ＥＶＦ表示部３２の表示面において表示された表示画像をリレー光学系に導く第２の位置にＥＶＦ表示部３２を移動させる。
【０１４３】
図６は、本発明の第２の実施形態に係るデジタルカメラの内部構成を示す側面断面図であり、図６（ａ）は、撮影待機状態におけるデジタルカメラの内部構成を示す側面断面図であり、図６（ｂ）は、撮影（露光）状態におけるデジタルカメラの内部構成を示す側面断面図である。
【０１４４】
なお、第２の実施形態におけるデジタルカメラの外観については、図１に示す第１の実施形態におけるデジタルカメラの外観と同じであるので説明を省略する。また、第２の実施形態におけるデジタルカメラと、第１の実施形態におけるデジタルカメラとでは、ファインダ部２７’の構成以外は同じ構成であるので、同じ構成物については同一の符号を付し、説明を省略する。
【０１４５】
図６（ａ）及び図６（ｂ）に示す第２の実施形態におけるデジタルカメラ１０ｂは、カメラ本体１及び交換レンズ２を備えて構成される。カメラ本体１の内部には、ＣＣＤ２６、ファインダ部２７’、ハーフミラー２８、焦点板２９、サブミラー３６、焦点検出部３７及びシャッタ３８が設けられている。
【０１４６】
ファインダ部２７’は、固定ミラー３９ａ、第１ミラー３９ｂ、第２ミラー３９ｃ、リレー光学系３９ｄ、接眼レンズ３１、ＥＶＦ表示部３２、移動機構３５及びファインダ窓１７を備えている。
【０１４７】
図６（ａ）に示すように、撮影待機時において、交換レンズ２から入射した被写体光は、ハーフミラー２８によって焦点板２９の方向に反射され、焦点板２９上に結像される。一方、ハーフミラー２８を透過した被写体光は、サブミラー３６によって焦点検出部３７の方向に反射される。ここで、ＥＶＦ表示部３２は、焦点板２９上に結像された被写体像を反射面である可動ミラー３２３によって反射させ、リレー光学系３９ｄに導く第１の位置に配置されている。したがって、焦点板２９によって結像された被写体象は、可動ミラー３２３によって第１ミラー３９ｂの方向に反射され、第１ミラー３９ｂは、可動ミラー３２３によって反射された被写体像を第２ミラー３９ｃの方向に反射させる。第１ミラー３９ｂと第２ミラー３９ｃとは、それぞれの端部が接着されており、くの字状になるように配置されている。第１ミラー３９ｂと第２ミラー３９ｃとの間には、リレー光学系３９ｄが配置されている。第１ミラー３９ｂによって反射された被写体像は、リレー光学系３９ｄを通過し、第２ミラー３９ｃに入射する。リレー光学系３９ｄを通過した被写体像は、第２ミラーによって接眼レンズ３１の方向に反射される。接眼レンズ３１は、第２ミラーによって反射された被写体像をファインダ窓１７に導く。このように、撮影待機時において、撮影者は、光学ファインダを用いて被写体を見ることができ、鮮明でちらつきの無いファインダ像を得ることができる。
【０１４８】
また、図６（ｂ）に示すように、動画撮影時において、交換レンズ２から入射した被写体光は、ハーフミラー２８が上方に退避されているので、ＣＣＤ２６上に結像される。一方、移動機構３５は、焦点板２９上に結像された被写体像を反射面である可動ミラー３２３によって反射させ、リレー光学系３９ｄに導く第１の位置から、焦点板２９の近傍であり、ＥＶＦ表示部３２の液晶表示装置３２２によって表示された表示画像をリレー光学系３９ｄに導く第２の位置にＥＶＦ表示部３２を移動させる。ＥＶＦ表示部３２の液晶表示装置３２２によって表示される表示画像は、固定ミラー３９ａによって第１ミラー３９ｂの方向に反射され、第１ミラー３９ｂは、固定ミラー３９ａによって反射された表示画像を第２ミラー３９ｃの方向に反射させる。第１ミラー３９ｂと第２ミラー３９ｃとの間には、リレー光学系３９ｄが配置されており、第１ミラー３９ｂによって反射された表示画像は、リレー光学系３９ｄを通過し、第２ミラー３９ｃに入射する。リレー光学系３９ｄを通過した表示画像は、第２ミラーによって接眼レンズ３１の方向に反射される。接眼レンズ３１は、第２ミラーによって反射された表示画像をファインダ窓１７に導く。このように、動画撮影時であっても、撮影者は、ファインダから被写体を見ることができ、ブラックアウトすることなくファインダ像を得ることができる。
【０１４９】
なお、第２の実施形態におけるデジタルカメラ１０ｂの電気的構成は、図４に示す第１の実施形態におけるデジタルカメラ１０ａの電気的構成と同じであるので説明を省略する。また、第２の実施形態におけるデジタルカメラ１０ｂの動作については、図５に示す第１の実施形態におけるデジタルカメラ１０ａの動作と同じであるので説明を省略する。
【０１５０】
なお、第２の実施形態における３枚のミラーを介したファインダ部２７’は、図６に示すようなカメラの高さ方向に折り返す配置の他に、カメラの横方向に折り返すように配置することも可能である。
【０１５１】
このように、ＣＣＤ２６によって撮像された画像を表示するためのＥＶＦ表示部３２は、表示面の裏面に反射面を有しており、ＥＶＦ表示部３２が、焦点板２９上に結像された被写体像を反射面によって反射させ、リレー光学系３９ｄに導く第１の位置に移動されることによって、ファインダ部２７’を光学ファインダとして機能させ、焦点板２９近傍であり、ＥＶＦ表示部３２の表示面において表示された表示画像をリレー光学系３９ｄに導く第２の位置に移動されることによって、ファインダ部２７’を電子ビューファインダとして機能させるので、撮影状況に応じて光学ファインダと電子ビューファインダとを切り換えることができる。
【０１５２】
（第３の実施形態）
次に、本発明の第３の実施形態について説明する。第１の実施形態及び第２の実施形態では、表示モードの設定を受け付け、動画像を外部表示部１９によって表示する外部表示モードと、ファインダ部２７によって表示するファインダ表示モードとに切り換えているが、第３の実施形態では、使用者のファインダ使用状態を検知することによって外部表示モードとファインダ表示モードとに切り換える。
【０１５３】
図７は、本発明の第３の実施形態に係るデジタルカメラについて説明するための図であり、図７（ａ）は、本発明の第３の実施形態に係るデジタルカメラの正面外観図であり、図７（ｂ）は、本発明の第３の実施形態に係るデジタルカメラの背面外観図である。
【０１５４】
なお、図７（ａ）及び図７（ｂ）に示す第３の実施形態におけるデジタルカメラ１０ｃは、図１（ａ）及び図１（ｂ）に示す第１の実施形態におけるデジタルカメラ１０ａとほぼ同じ構成であるので、以下の説明では、異なる構成についてのみ説明する。
【０１５５】
図７（ａ）に示すように、デジタルカメラ１０ｃは、グリップ部４にグリップ検知部１５１と、ファインダ窓１７の近傍に接眼検知部１５２とをさらに備えている。
【０１５６】
グリップ検知部１５１は、カメラ本体１のグリップ部４の撮影者による保持状態を検知する。本実施形態におけるグリップ検知部１５１は、グリップ部４の外面の手で触れる部分に２本の電極を並べて設け、手の表面電導を利用して撮影者がグリップ部４を握っているか否かを検知する。なお、撮影者が手袋をしている場合、上記の方法では検知することができないので、グリップ検知部１５１として圧力センサを用いてもよい。
【０１５７】
接眼検知部１５２は、撮影者によるファインダ窓への接眼状態を検知する。本実施形態における接眼検知部１５２は、例えば赤外光を発光する発光部と、発光部からの投光が撮影者によって反射した光を受光する受光部とを備え、撮影者がファインダ窓１７に接眼しているか否かを検知する。なお、接眼検知部１５２は、ファインダ窓１７へ接近しているのが撮影者以外の物体である場合を排除するため、撮影者の顔面特有の反射光の特徴を識別したり、所定時間以上連続して反射光を受光していることを検知したりしてもよい。
【０１５８】
なお、第３の実施形態におけるデジタルカメラ１０ｃは、動画像を外部表示部１９によって表示する外部表示モードと、ファインダ部２７によって表示するファインダ表示モードとに切り換えるＥＶＦ切り換えボタン１８を備えていなくてもよい。
【０１５９】
図８は、本発明の第３の実施形態に係るデジタルカメラの電気的構成を示すブロック図である。なお、図７と同一物には同一符号を付している。デジタルカメラ１０ｃは、交換レンズ２、撮像部４０、信号処理部５０、レンズ制御部６０、表示部７０、操作部８０、全体制御部９０、ハーフミラー駆動部１２０、ファインダ切り換え部１３０、シャッタ制御部１４０及びファインダ使用状態検知部１５０などを備えている。
【０１６０】
なお、図８に示す第３の実施形態におけるデジタルカメラ１０ｃは、図４に示す第１の実施形態におけるデジタルカメラ１０ａとほぼ同じ構成であるので、同一符号を付し、説明を省略する。
【０１６１】
ファインダ使用状態検知部１５０は、使用者のファインダ使用状態を検知するものであり、グリップ検知部１５１及び接眼検知部１５２を備えて構成される。
【０１６２】
図９は、本発明の第３の実施形態におけるデジタルカメラ１０ｃの動作について説明するためのフローチャートである。なお、図９に示すフローチャートにおけるステップＳ３１，３２，３７〜４５，５１〜５８における処理は、図５に示すフローチャートにおけるステップＳ１，２，７〜１５，２１〜２８における処理と同じであるので説明を省略し、以下の説明では、ステップＳ３３〜３６における処理についてのみ説明する。
【０１６３】
ステップＳ３３において、全体制御部９０は、撮影者がファインダ窓１７に接眼しているか否かを判断する。接眼検知部１５２は、撮影者がファインダ窓１７に接眼しているか否かを検知し、撮影者がファインダ窓１７に接眼している場合、接眼検知信号を全体制御部９０に出力する。全体制御部９０は、接眼検知信号が入力されると、撮影者がファインダ窓１７に接眼していると判断する。ここで、撮影者がファインダ窓１７に接眼していると判断された場合（ステップＳ３３でＹＥＳ）、ステップＳ３４に移行する。撮影者がファインダ窓１７に接眼していないと判断された場合（ステップＳ３３でＮＯ）、ステップＳ３６に移行する。
【０１６４】
撮影者がファインダ窓１７に接眼していると判断された場合、ステップＳ３４において、全体制御部９０は、撮影者がカメラ本体１のグリップ部４を保持しているか否かを判断する。グリップ検知部１５１は、撮影者がカメラ本体１のグリップ部４を保持しているか否かを検知し、撮影者がカメラ本体１のグリップ部４を保持している場合、グリップ保持信号を全体制御部９０に出力する。全体制御部９０は、グリップ保持信号が入力されると、撮影者がカメラ本体１のグリップ部４を保持していると判断する。ここで、撮影者がカメラ本体１のグリップ部４を保持していると判断された場合（ステップＳ３４でＹＥＳ）、ステップＳ３５に移行する。撮影者がカメラ本体１のグリップ部４を保持していないと判断された場合（ステップＳ３４でＮＯ）、ステップＳ３６に移行する。
【０１６５】
このように、撮影者がファインダ窓１７に接眼しているか否かを検知し、撮影者がカメラ本体１のグリップ部４を保持しているか否かを検知することによって、撮影者がカメラを構えてファインダを覗いている状況を検知することができる。
【０１６６】
そして、撮影者がファインダ窓１７に接眼していると判断され、かつ撮影者がカメラ本体１のグリップ部４を保持していると判断された場合、ステップＳ３５において、ファインダ切り換え部１３０は、ペンタミラー３０の最終反射面であり、焦点板２９上に結像された被写体像を接眼レンズ３１に導く第１の位置から、焦点板２９近傍であり、ＥＶＦ表示部３２の液晶表示装置３２２によって表示された表示画像を接眼レンズ３１に導く第２の位置にＥＶＦ表示部３２を移動させる。
【０１６７】
撮影者がファインダ窓１７に接眼していないと判断された場合、又は撮影者がカメラ本体１のグリップ部４を保持していないと判断された場合、及びファインダ切り換え部１３０によってＥＶＦ表示部３２が第１の位置から第２の位置へ移動された後、ステップＳ３６において、ハーフミラー駆動部１２０は、ハーフミラー２８及びサブミラー３６を駆動し、交換レンズ２の光軸Ｌからハーフミラー２８及びサブミラー３６を上方に退避させる。また、シャッタ制御部１４０は、シャッタ３８を開くよう制御する。
【０１６８】
なお、本実施形態において、ファインダ使用状態検知部１５０は、グリップ検知部１５１及び接眼検知部１５２を備えて構成されるが、本発明は特にこれに限定されず、ファインダ使用状態検知部１５０はグリップ検知部１５１のみを備えて構成してもよい。この場合、図９に示すステップＳ３３の処理は省略され、ステップＳ３４において撮影者がカメラ本体１のグリップ部４を保持しているか否かが検知され、撮影者がカメラ本体１のグリップ部４を保持していると検知された場合、ステップＳ３５においてファインダが切り換えられる。また、同様に、ファインダ使用状態検知部１５０が接眼検知部１５２のみを備えて構成してもよい。この場合、図９に示すステップＳ３４の処理は省略され、ステップＳ３３において撮影者がファインダ窓１７に接眼しているか否かが検知され、撮影者がファインダ窓１７に接眼していると検知された場合、ステップＳ３５においてファインダが切り換えられる。
【０１６９】
このように、静止画像を撮影する静止画撮影モードと、動画像を撮影する動画撮影モードとが切り換えられ、使用者のファインダ使用状態が検知される。そして、動画撮影モードに切り換えられ、かつファインダ使用状態が検知されている場合、ＣＣＤ２６によって撮像された画像をＥＶＦ表示部３２の液晶表示装置３２２によって表示する第１の表示モードに切り換えられる。また、動画撮影モードに切り換えられ、かつファインダ使用状態が検知されていない場合、ＣＣＤ２６によって撮像された画像を外部表示部１９によって表示する第２の表示モードに切り換えられる。
【０１７０】
したがって、動画像を撮影する動画撮影モードにおいて、撮影者がファインダを使用している場合、ＥＶＦ表示部３２の液晶表示装置３２２を用いて表示し、撮影者がファインダを使用していない場合、外部表示部１９を用いて表示することによって、撮影者の撮影姿勢に応じて自動的に表示を切り換えることができる。
【０１７１】
また、使用者のファインダ窓１７への接眼状態と、カメラ本体１のグリップ部４の保持状態とのうちの少なくとも一方が検知され、少なくとも一方の検知結果に基づいて、使用者のファインダ使用状態が検知される。したがって、使用者のファインダ窓１７への接眼状態と、カメラ本体１のグリップ部４の保持状態とのうちの少なくとも一方を検知することによって、使用者のファインダ使用状態を検知することができ、使用者がファインダ窓１７を覗いているのか、外部表示部１９を見ているのかを確実に検知することができる。
【０１７２】
（第４の実施形態）
次に、本発明の第４の実施形態について説明する。上述の第１〜３の実施形態では、まず撮影モードの設定を受け付け、受け付けられた撮影モードが静止画撮影モードであるか、動画撮影モードであるかが判断され、静止画撮影モードに設定されている場合の処理と、動画撮影モードに設定されている場合の処理とがそれぞれ行われている。第４の実施形態では、静止画像の撮影待機時において外部表示部を使用するライブビューモードであるか、静止画像の撮影待機時において光学ファインダを使用するファインダモードであるかが判断され、ライブビューモードに設定されている場合の処理と、ファインダモードに設定されている場合の処理とがそれぞれ行われる。
【０１７３】
図１０は、本発明の第４の実施形態に係るデジタルカメラについて説明するための図であり、図１０（ａ）は、本発明の第４の実施形態に係るデジタルカメラの正面外観図であり、図１０（ｂ）は、本発明の第４の実施形態に係るデジタルカメラの背面外観図である。
【０１７４】
なお、図１０（ａ）及び図１０（ｂ）に示す第４の実施形態におけるデジタルカメラ１０ｄは、図７（ａ）及び図７（ｂ）に示す第３の実施形態におけるデジタルカメラ１０ｃとほぼ同じ構成であるので、以下の説明では、異なる構成についてのみ説明する。
【０１７５】
デジタルカメラ１０ｄの背面側の適所には、外部表示切換ボタン８３がさらに設けられている。外部表示切換ボタン８３は、静止画像の撮影待機時において外部表示部１９を使用するライブビューモードと、静止画像の撮影待機時において光学系ファインダを使用するファインダモードとを切り換えるものである。外部表示切換ボタン８３が押下されると、ファインダモードからライブビューモードに切り換わり、再度外部表示切換ボタン８３が押下されると、ライブビューモードからファインダモードに切り換わる。
【０１７６】
図１１は、本発明の第４の実施形態に係るデジタルカメラの電気的構成を示すブロック図である。なお、図１０と同一物には同一符号を付している。デジタルカメラ１０ｄは、交換レンズ２、撮像部４０、信号処理部５０、レンズ制御部６０、表示部７０、操作部８０、全体制御部９０、ハーフミラー駆動部１２０、ファインダ切り換え部１３０、シャッタ制御部１４０及びファインダ使用状態検知部１５０などを備えている。
【０１７７】
なお、図１１に示す第４の実施形態におけるデジタルカメラ１０ｄは、図８に示す第３の実施形態におけるデジタルカメラ１０ｃとほぼ同じ構成であるので、同一符号を付し、説明を省略する。
【０１７８】
操作部８０は、ロックスイッチ８１、レリーズスイッチ８２、モード設定ダイアル６及びＥＶＦ切り換えボタン１８に加えて、外部表示切換ボタン８３をさらに含み、これらの操作情報が全体制御部９０に入力される。なお、第４の実施形態におけるデジタルカメラ１０ｄは、動画像を外部表示部１９によって表示する外部表示モードと、ファインダ部２７によって表示するファインダ表示モードとに切り換えるＥＶＦ切り換えボタン１８を備えていなくてもよい。
【０１７９】
図１２及び図１３は、本発明の第４の実施形態におけるデジタルカメラ１０ｄの動作について説明するためのフローチャートである。なお、図１２及び図１３に示すフローチャートにおけるステップＳ９１〜９８における処理は、図５に示すフローチャートにおけるステップＳ２１〜２８における処理と同じであるので説明を省略し、以下の説明では、ステップＳ６１〜８１における処理についてのみ説明する。
【０１８０】
まず、ステップＳ６１において、全体制御部９０は、モード設定ダイアル６による撮影モードの設定を受け付ける。撮影者は、モード設定ダイアル６を操作することによって、静止画撮影モードと動画撮影モードとに切り換えることができる。
【０１８１】
次に、ステップＳ６２において、全体制御部９０は、外部表示切換ボタン８３による外部表示モードの設定を受け付ける。外部表示モードには、静止画像の撮影待機時において外部表示部１９を使用するライブビューモードと、静止画像の撮影待機時において光学系ファインダを使用するファインダモードとがある。撮影者は、外部表示切換ボタン８３を操作することによって、ライブビューモードとファインダモードとに切り換えることができる。
【０１８２】
次に、ステップＳ６３において、全体制御部９０は、受け付けられた外部表示モードがライブビューモードであるか否か、すなわち、ライブビューモードであるか或いはファインダモードであるかを判断する。ここで、ライブビューモードであると判断されると（ステップＳ６３でＹＥＳ）、ステップＳ６４に移行し、ライブビューモードではなく、ファインダモードであると判断されると（ステップＳ６３でＮＯ）、ステップＳ９１に移行する。
【０１８３】
ライブビューモードであると判断された場合、ステップＳ６４において、ファインダ切り換え部１３０は、ペンタミラー３０の最終反射面であり、焦点板２９上に結像された被写体像を接眼レンズ３１に導く第１の位置から、焦点板２９近傍であり、ＥＶＦ表示部３２の液晶表示装置３２２によって表示された表示画像を接眼レンズ３１に導く第２の位置にＥＶＦ表示部３２を移動させる。
【０１８４】
次に、ステップＳ６５において、ハーフミラー駆動部１２０は、ハーフミラー２８及びサブミラー３６を駆動し、交換レンズ２の光軸Ｌからハーフミラー２８及びサブミラー３６を上方に退避させる。また、シャッタ制御部１４０は、シャッタ３８を開くよう制御する。ハーフミラー２８及びサブミラー３６が退避され、シャッタ３８が開かれることによって、ＣＣＤ２６の撮像面上に被写体像が結像される。
【０１８５】
次に、ステップＳ６６において、全体制御部９０は、撮像部４０及び信号処理部５０を制御し、ＣＣＤ２６によって撮像された画像データを画像メモリ５６に取り込む。
【０１８６】
次に、ステップＳ６７において、全体制御部９０は、撮影者がファインダ窓１７に接眼しているか否かを判断する。接眼検知部１５２は、撮影者がファインダ窓１７に接眼しているか否かを検知し、撮影者がファインダ窓１７に接眼している場合、接眼検知信号を全体制御部９０に出力する。全体制御部９０は、接眼検知信号が入力されると、撮影者がファインダ窓１７に接眼していると判断する。ここで、撮影者がファインダ窓１７に接眼していると判断された場合（ステップＳ６７でＹＥＳ）、ステップＳ６８に移行する。撮影者がファインダ窓１７に接眼していないと判断された場合（ステップＳ６７でＮＯ）、ステップＳ７０に移行する。
【０１８７】
撮影者がファインダ窓１７に接眼していると判断された場合、ステップＳ６８において、全体制御部９０は、撮影者がカメラ本体１のグリップ部４を保持しているか否かを判断する。グリップ検知部１５１は、撮影者がカメラ本体１のグリップ部４を保持しているか否かを検知し、撮影者がカメラ本体１のグリップ部４を保持している場合、グリップ保持信号を全体制御部９０に出力する。全体制御部９０は、グリップ保持信号が入力されると、撮影者がカメラ本体１のグリップ部４を保持していると判断する。ここで、撮影者がカメラ本体１のグリップ部４を保持していると判断された場合（ステップＳ６８でＹＥＳ）、ステップＳ６９に移行する。撮影者がカメラ本体１のグリップ部４を保持していないと判断された場合（ステップＳ６８でＮＯ）、ステップＳ７０に移行する。
【０１８８】
撮影者がファインダ窓１７に接眼していると判断され、かつ撮影者がカメラ本体１のグリップ部４を保持していると判断された場合、ステップＳ６９において、全体制御部９０は、ライブビュー画像をＥＶＦ表示部３２の液晶表示装置３２２に表示するよう制御し、液晶表示装置３２２は、ライブビュー画像を表示する。
【０１８９】
撮影者がファインダ窓１７に接眼していないと判断された場合、又は撮影者がカメラ本体１のグリップ部４を保持していないと判断された場合、ステップＳ７０において、全体制御部９０は、ライブビュー画像を外部表示部１９に表示するよう制御し、外部表示部１９は、ライブビュー画像を表示する。
【０１９０】
次に、ステップＳ７１において、全体制御部９０は、ＣＣＤ２６によって出力される映像信号のコントラストを検出し、コントラストの増える方向に交換レンズ２のフォーカスレンズを動かす映像ＡＦ（コントラスト）方式によって、焦点調節を行う。
【０１９１】
次に、ステップＳ７２において、全体制御部９０は、レリーズボタン７が全押しされたか否か、すなわち、レリーズスイッチ８２からオン信号が入力されたか否かを判断する。ここで、レリーズボタン７が全押しされたと判断されると（ステップＳ７２でＹＥＳ）、ステップＳ７３に移行し、レリーズボタン７が全押しされていないと判断されると（ステップＳ７２でＮＯ）、ステップＳ７１に戻り、焦点調節が行われる。
【０１９２】
レリーズボタン７が全押しされた場合、ステップＳ７３において、全体制御部９０は、受け付けられた撮影モードが静止画撮影モードであるか否か、すなわち、静止画撮影モードであるか或いは動画撮影モードであるかを判断する。ここで、静止画撮影モードであると判断されると（ステップＳ７３でＹＥＳ）、ステップＳ７４に移行し、静止画撮影モードではなく、動画撮影モードであると判断されると（ステップＳ７３でＮＯ）、ステップＳ７６に移行する。
【０１９３】
静止画撮影モードであると判断された場合、ステップＳ７４において、全体制御部９０は、ＣＣＤ２６による露光を開始し、露出制御値に応じた時間だけ、静止画撮影を実行する。すなわち、全体制御部９０は、露出制御値に応じた時間だけ、画像メモリ５６に記憶される画像データをカードＩ／Ｆ９３を介してメモリカード９４に出力する。次に、ステップＳ７５において、メモリカード９４は、画像データを記録することによって、静止画像を記録する。
【０１９４】
一方、静止画撮影モードではなく、動画撮影モードであると判断された場合、ステップＳ７６において、全体制御部９０は、ＣＣＤ２６による露光を開始し、動画撮影を実行する。すなわち、全体制御部９０は、画像メモリ５６に記憶される１フレームごとの画像データを順次カードＩ／Ｆ９３を介してメモリカード９４に出力する。次に、ステップＳ７７において、メモリカード９４は、１フレームごとの画像データを順次記録することによって、動画像を記録する。
【０１９５】
次に、ステップＳ７８において、全体制御部９０は、レリーズボタン７が全押しされたか否か、すなわち、レリーズスイッチ８２からオン信号が入力されたか否かを判断する。ここで、レリーズボタン７が全押しされたと判断されると（ステップＳ７８でＹＥＳ）、ステップＳ７９に移行し、レリーズボタン７が全押しされていないと判断されると（ステップＳ７８でＮＯ）、ステップＳ７６に戻り、動画撮影が継続実行される。
【０１９６】
次に、ステップＳ７９において、全体制御部９０は、ライブビュー画像の表示を終了するか否かを判断する。すなわち、全体制御部９０は、外部表示切換ボタン８３が押下されたか否かを判断することによって、ライブビュー画像の表示を終了するか継続するかを判断する。ここで、ライブビュー画像の表示を終了すると判断された場合（ステップＳ７９でＹＥＳ）、ライブビューモードからファインダモードに切り換えられ、ステップＳ８０に移行する。ライブビュー画像の表示を終了しないと判断された場合（ステップＳ７９でＮＯ）、ステップＳ６６に戻り、ＣＣＤ２６によって撮像された画像データを画像メモリ５６に取り込み、ライブビュー表示を継続して行う。
【０１９７】
ライブビュー画像の表示を終了すると判断された場合、ステップ８０において、ハーフミラー駆動部１２０は、ハーフミラー２８及びサブミラー３６を駆動し、交換レンズ２の光軸Ｌ上にハーフミラー２８及びサブミラー３６を移動させる。また、シャッタ制御部１４０は、シャッタ３８を閉じるよう制御する。
【０１９８】
次に、ステップＳ８１において、ファインダ切り換え部１３０は、焦点板２９近傍であり、ＥＶＦ表示部３２の液晶表示装置３２２によって表示された表示画像を接眼レンズ３１に導く第２の位置から、ペンタミラー３０の最終反射面であり、焦点板２９上に結像された被写体像を接眼レンズ３１に導く第１の位置にＥＶＦ表示部３２を移動させる。以上のようにして、デジタルカメラ１０ｄによる動画撮影が行われる。
【０１９９】
なお、本実施形態では、ステップＳ６２の外部表示モードの設定受け付けよりも前に撮影モードの設定受け付けを行っているが、本発明は特にこれに限定されず、ステップＳ６２からステップＳ７２の間であれば、どのタイミングで行ってもよい。
【０２００】
また、本実施形態において、ファインダ使用状態検知部１５０は、グリップ検知部１５１及び接眼検知部１５２を備えて構成されるが、本発明は特にこれに限定されず、ファインダ使用状態検知部１５０がグリップ検知部１５１のみを備えて構成してもよい。この場合、図１２に示すステップＳ６７の処理は省略され、ステップＳ６８において撮影者がカメラ本体１のグリップ部４を保持しているか否かが検知される。そして、撮影者がカメラ本体１のグリップ部４を保持していると検知された場合、ステップＳ６９においてＥＶＦ表示部３２によるライブビュー画像の表示が行われ、撮影者がカメラ本体１のグリップ部４を保持していないと検知された場合、ステップＳ７０において外部表示部１９によるライブビュー画像の表示が行われる。また、同様に、ファインダ使用状態検知部１５０が接眼検知部１５２のみを備えて構成してもよい。この場合、図１２に示すステップＳ６８の処理は省略され、ステップＳ６７において撮影者がファインダ窓１７に接眼しているか否かが検知される。そして、撮影者がファインダ窓１７に接眼していると検知された場合、ステップＳ６９においてＥＶＦ表示部３２によるライブビュー画像の表示が行われ、撮影者がファインダ窓１７に接眼していないと検知された場合、ステップＳ７０において外部表示部１９によるライブビュー画像の表示が行われる。
【０２０１】
さらに、本実施形態では、ファインダ使用状態検知部１５０によってライブビュー画像を外部表示部１９に表示するか、ＥＶＦ表示部３２に表示するかを判断しているが、本発明は特にこれに限定されず、ＥＶＦ切り換えボタン１８による表示モードの設定を受け付け、ライブビュー画像を外部表示部１９に表示するか、ＥＶＦ表示部３２に表示するかを判断してもよい。
【０２０２】
このように、静止画像の撮影待機時において外部表示部１９を使用するライブビューモードと、静止画像の撮影待機時においてファインダ部を光学系ファインダとして機能させるファインダモードとが切り換えられ、使用者のファインダ使用状態が検知される。そして、ライブビューモードに切り換えられ、かつファインダ使用状態が検知されている場合、ＣＣＤ２６によって撮像された画像をＥＶＦ表示部３２の液晶表示装置３２２によって表示する第１の表示モードに切り換えられる。また、ライブビューモードに切り換えられ、かつファインダ使用状態が検知されていない場合、ＣＣＤ２６によって撮像された画像を外部表示部１９によって表示する第２の表示モードに切り換えられる。
【０２０３】
したがって、静止画像の撮影待機時に外部表示部１９を使用するライブビューモードにおいて、撮影者がファインダを使用している場合、ＥＶＦ表示部３２の液晶表示装置３２２を用いて表示し、撮影者がファインダを使用していない場合、外部表示部１９を用いて表示することによって、撮影者の撮影姿勢に応じて自動的に表示を切り換えることができる。
【０２０４】
また、使用者のファインダ窓１７への接眼状態と、カメラ本体１のグリップ部４の保持状態とのうちの少なくとも一方が検知され、少なくとも一方の検知結果に基づいて、使用者のファインダ使用状態が検知される。したがって、使用者のファインダ窓１７への接眼状態と、カメラ本体１のグリップ部４の保持状態とのうちの少なくとも一方を検知することによって、使用者のファインダ使用状態を検知することができ、使用者がファインダ窓１７を覗いているのか、外部表示部１９を見ているのかを確実に検知することができる。
【図面の簡単な説明】
【０２０５】
【図１】本発明の第１の実施形態に係るデジタルカメラについて説明するための図である。
【図２】本発明の第１の実施形態に係るデジタルカメラの内部構成を示す側面断面図である。
【図３】ＥＶＦ表示部について説明するための図である。
【図４】本発明の第１の実施形態に係るデジタルカメラの電気的構成を示すブロック図である。
【図５】本発明に係るデジタルカメラの動作について説明するためのフローチャートである。
【図６】本発明の第２の実施形態に係るデジタルカメラの内部構成を示す側面断面図である。
【図７】本発明の第３の実施形態に係るデジタルカメラについて説明するための図である。
【図８】本発明の第３の実施形態に係るデジタルカメラの電気的構成を示すブロック図である。
【図９】本発明の第３の実施形態におけるデジタルカメラの動作について説明するためのフローチャートである。
【図１０】本発明の第４の実施形態に係るデジタルカメラについて説明するための図である。
【図１１】本発明の第４の実施形態に係るデジタルカメラの電気的構成を示すブロック図である。
【図１２】本発明の第４の実施形態におけるデジタルカメラの動作について説明するためのフローチャートである。
【図１３】本発明の第４の実施形態におけるデジタルカメラの動作について説明するためのフローチャートである。
【図１４】従来のデジタルカメラについて説明するための図である。
【符号の説明】
【０２０６】
１    カメラ本体
２    交換レンズ
１０ａ，１０ｂ，１０ｃ，１０ｄ    デジタルカメラ
１７    ファインダ窓
１９    外部表示部
２６    カラー撮像素子
２７    ファインダ部
２８    ハーフミラー
２９    焦点板
３０    ペンタミラー
３１    接眼レンズ
３２    ＥＶＦ表示部
３４    固定ミラー
３５    移動機構
３６    サブミラー
３７    焦点検出部
３８    シャッタ
３２２  液晶表示装置
３２３  可動ミラー
【図１】
2005311764.tif 000005
【図２】
2005311764.tif 000006
【図３】
2005311764.tif 000007
【図４】
2005311764.tif 000008
【図５】
2005311764.tif 000009
【図６】
2005311764.tif 000010
【図７】
2005311764.tif 000011
【図８】
2005311764.tif 000012
【図９】
2005311764.tif 000013
【図１０】
2005311764.tif 000014
【図１１】
2005311764.tif 000015
【図１２】
2005311764.tif 000016
【図１３】
2005311764.tif 000017
【図１４】
2005311764.tif 000018